(57)【要約】      （修正有）【課題】既存住宅の各部屋に簡単に設置できるような火災警報器によって連動警報可能なシステムを構成できるようにする。【解決手段】外部電源に接続する電源端子Ｔを有する電源入力部１１と、設定された識別情報を記憶する設定記憶手段１５と、連動制御信号を無線で送受信する無線通信制御手段１６とを備え、連動制御信号を受信すると、受信した連動制御信号に含まれる識別情報と、設定記憶手段１５に記憶している識別情報との一致を判別し、一致している場合には、連動警報を開始する。【選択図】図１
2008009481.tif 000002
【特許請求の範囲】
【請求項１】
住戸の天井面等に設置され、火災を検知して警報する住戸用火災警報器において、
火災警報器に予め割当てた識別情報を記憶する設定記憶手段と、
連動制御信号を無線で送受信する無線通信制御手段と、
火災が検知されたときには警報を開始させる警報制御手段とを備え、
上記無線通信制御手段は、
上記火災が検知されたときには、上記設定記憶手段に記憶している識別情報を含む連動制御信号を発信する一方、
上記火災が検知されていないときには、受信状態となって、上記連動制御信号を受信すると、受信した連動制御信号に含まれる識別情報と、上記設定記憶手段に記憶している識別情報との一致を判別し、一致している場合には、上記警報制御手段で連動警報を開始させることを特徴とするワイヤレス型火災警報器。
【請求項２】
請求項１において、
外部電源に接続する電源端子を有する電源入力部を更に備え、
その電源入力部は、上記電源端子から入力された交流電圧を、所定の直流電圧に変換する変換回路として構成されていることを特徴とするワイヤレス型火災警報器。
【請求項３】
請求項２において、
上記電源入力部は、上記直流電圧によって充電されるバックアップ電源を備えていることを特徴とするワイヤレス型火災警報器。
【請求項４】
請求項１〜３のいずれかに記載のワイヤレス型火災警報器を複数備えた火災警報システムであって、
それぞれのワイヤレス型火災警報器には、上記識別情報として、共通のシステムＩＤを設定していることを特徴とするワイヤレス型火災警報システム。
【発明の詳細な説明】
【技術分野】
【０００１】
本発明は、火災を検知したときに自らは警報を出力し、他の火災警報器に連動警報を出力させるようにした住戸用火災警報器に関する。
【背景技術】
【０００２】
住戸の各部屋に火災警報器を設置する場合には、火災を検知したときに自らは警報を出力し、他の火災警報器に連動警報を出力させる機能を備えた火災警報器により、火災警報システムを構成することが望ましい。
【０００３】
そのような火災警報器の公知例として、次の特許文献には、各部屋に設置する火災警報器を伝送線で渡り配線し、いずれかの火災警報器が火災を検知したときには、伝送線の電圧レベルを変化させることにより、他の火災警報器に火災検知を通知して、連動警報させる構成が開示されている。
【特許文献１】特開２００５−３３９０３２号公開公報
【発明の開示】
【発明が解決しようとする課題】
【０００４】
ところが、火災警報器を伝送線で渡り配線する構成の火災警報システムは、特に既存住戸の各部屋に火災警報器を設置しようとすると、天井裏に伝送線を敷設するなど、非常に手間がかかるという問題がある。そのため、既存住宅の各部屋に簡単に設置できるような火災警報器によって連動警報可能なシステムを構成できるようにすることが強く望まれていた。
【課題を解決するための手段】
【０００５】
そこで、そのような要望に対する解決として、次のような構成の火災警報器、及び火災警報システムを提案する。
【０００６】
すなわち、請求項１に記載のワイヤレス型火災警報器は、住戸の天井面等に設置され、火災を検知して警報する住戸用火災警報器において、火災警報器に予め割当てた識別情報を記憶する設定記憶手段と、連動制御信号を無線で送受信する無線通信制御手段と、火災が検知されたときには警報を開始させる警報制御手段とを備え、上記無線通信制御手段は、上記火災が検知されたときには、上記設定記憶手段に記憶している識別情報を含む連動制御信号を発信する一方、上記火災が検知されていないときには、受信状態となって、上記連動制御信号を受信すると、受信した連動制御信号に含まれる識別情報と、上記設定記憶手段に記憶している識別情報との一致を判別し、一致している場合には、上記警報制御手段で連動警報を開始させることを特徴としている。
【０００７】
請求項２に記載のワイヤレス型火災警報器は、請求項１において、外部電源に接続する電源端子を有する電源入力部を更に備え、その電源入力部は、上記電源端子から入力された交流電圧を、所定の直流電圧に変換する変換回路として構成されていることを特徴としている。
【０００８】
請求項３に記載のワイヤレス型火災警報器は、請求項２において、上記電源入力部は、上記直流電圧によって充電されるバックアップ電源を備えていることを特徴としている。
【０００９】
請求項４に記載のワイヤレス型火災警報システムは、請求項１〜３のいずれかに記載のワイヤレス型火災警報器を複数備えた火災警報システムであって、それぞれのワイヤレス型火災警報器には、上記識別情報として、共通のシステムＩＤを設定していることを特徴といている。
【発明の効果】
【００１０】
請求項１に記載のワイヤレス型火災警報器は、それを複数台備えたシステム、すなわち、請求項４に記載の火災警報システムを構成した場合には、連動制御信号に識別情報を含ませているため、そのシステムにおける連動制御信号か否かを判別でき、隣家に設置された同様の火災警報システムからの連動制御信号によって誤動作する虞がない。また、無線により、連動制御信号を伝送するので、各火災警報器を渡り配線する必要がなく、施工が簡単である。
【００１１】
請求項２によれば、電源入力部は、交流電圧を直流電圧に変換する変換回路として構成しているので、交流電源に含まれるノイズにより、連動制御信号が受信できなくなるという不具合が発生しにくくなる。
【００１２】
請求項３によれば、火災警報器の動作中に、バックアップ電源が充電されるので、電池切れのため、停電時には動作不能になるという問題が発生しない。
【発明を実施するための最良の形態】
【００１３】
以下、本発明によるワイヤレス型火災警報器の実施例を図に従って説明する。
【実施例１】
【００１４】
図１は、本発明による住戸用火災警報器１の概略構成を示すブロック図、図２は、その火災警報器１を複数備えた火災警報システムの構成図である。
【００１５】
このシステムでは、それぞれ同等の構成とされる火災警報器１が、壁Ｗで仕切られた各部屋の天井面等に設置されている。また、また、火災警報器本体から導出された電源コードの電源端子Ｔは、その部屋の壁面等に設けられたＡＣ１００Ｖ電源コンセントに接続されている。
【００１６】
火災警報器１の構成をより具体的に説明すると、住戸のＡＣ１００Ｖ電源コンセント等の外部電源に接続する電源端子を有する電源入力部１１と、電源入力部１１が出力する電源Ｖによって充電されるコンデンサ等で構成されるバックアップ電源１２と、吊りひも等で操作されるスイッチＳＷを有する操作手段１３と、熱、又は煙センサＳ等を有し、火災を検知する火災検知手段１４と、火災警報器に予め割当てた識別情報を記憶する設定記憶手段１５と、アンテナＡＮを有し、別の火災警報器１との間で連動制御信号を無線で送受信する無線通信制御手段１６と、火災が検知されたときにはブザーＢにより警報を開始させる警報制御手段１７とを備えている。
【００１７】
ここで、無線通信制御手段１６は、火災検知手段１４で火災が検知されたときには、送信状態となって、設定記憶手段１５に記憶している識別情報を含む連動制御信号を発信する一方、火災が検知されていないときには、受信状態となって、別の火災警報器１が発信した連動制御信号を受信すると、受信した連動制御信号に含まれる識別情報と、設定記憶手段１５に記憶している識別情報との一致を判別し、一致している場合には、警報制御手段１７で連動警報を開始させる。これにより、火災警報器１は、火災を検知すると、連動制御信号を発信して、他の火災警報器１に連動警報を開始させることができる。なお、連動制御信号を受信した際には、その信号を中継送信するようにすれば、連動制御信号をより遠くまで到達させることが可能になる。
【００１８】
電源入力部１１は、電源端子Ｔから電源コードを通じて入力された交流電源を所定の直流電圧に変換する変換回路として火災警報器１の本体内部に配置してもよく、また、電源端子Ｔを有するＡＣアダプタという形状にして本体外部に配置し、そのＡＣアダプタから電源コードを通じて、本体に直流電源を供給するようにしてもよい。なお、ＡＣアダプタとした場合には、そのＡＣアダプタ内部に、バックアップ電源１２を収容するようにしてもよい。
【００１９】
設定記憶手段１５には、その火災警報システムで共通とされる識別情報、すなわちシステムＩＤや、連動制御信号の送受信に使用する無線チャネルの選択等が、施工の際、人手により設定記憶させられる。そのため、設定記憶手段１５は、ディップスイッチ等で構成してもよい。火災警報器１は、そのような識別情報により、受信した連動制御信号が、その火災警報システムに属する別の火災警報器１が発信したものか否かを判断できる。また、無線チャネルを隣接する別のシステムと異なるように選択することにより、混信の可能性を低くすることもできる。
【００２０】
次いで、連動制御信号の構成を説明する。連動制御信号は、例えば、選択されたチャネルの中心周波数を、通信データを構成する「１」、「０」のデジタル値によって周波数変調させるＦＭ方式とすることができる。この場合、無線通信制御手段１６の送信部、受信部には、ＦＭ送受信回路の公知構成を採用することができる。
【００２１】
図３は、連動制御信号の概略波形図であり、信号の検出を制御し 同期を記録するための予備信号部Ｐと、伝達すべきデジタルデータからなるデータ部Ｄとで構成されている。ここで、予備信号部Ｐは、「１」、「０」を所定回数繰返すパターンからなり、そのパターンの「１」、「０」の変化タイミングと、データ部Ｄをビット毎にサンプリングするタイミングとを同期させることにより、デジタルデータを正しく受取ることが可能になる。また、データ部には、デジタルデータとして、連動制御信号を識別するための識別情報が含まれている。
【００２２】
図４は、上記火災警報器１の基本動作の例を示すフローチャートであるが、これは識別情報が設定記憶手段１５に既に設定されていることを前提としたもので、電源投入後、火災を検知し始めた状態から始っている。火災警報器１は、基本的には受信状態であり、その状態で火災検知したか否かを判断する（１０１、１０２）。ここで、火災を検知すれば、警報を開始し、送信状態となって、識別情報を含ませた連動制御信号を発信し、また受信状態に戻る（１０３〜１０６）。
【００２３】
次に、連動制御信号を受信したか否かを判断し、受信していれば、更に、その受信した連動制御信号に含まれる識別信号と、設定記憶手段１５に記憶している識別情報とが一致しているか否かを判断する（１０７、１０８）。ここで、両者が一致していれば、連動警報を開始する（１０９）。
【００２４】
その後、操作手段１３で警報停止操作を受付けたか否かを判断する（１１０）。ここで、警報停止操作を受付けていれば、警報、または連動警報を中止して、所定時間が経過するまで待機する（１１１、１１２）。この待機の間に、火災が人手等により解消されなければ、再び火災が検知されることになる。
【００２５】
なお、連動制御信号の思想は、警報中止信号に応用することも可能である。すなわち、警報停止操作がなされたときには、警報、又は連動警報の出力を中止し、更に、無線通信制御手段１６により警報中止信号を発信する一方、警報中止信号を受信した場合には、警報、又は連動警報の出力を中止するようにしてもよい。あるいは、警報停止操作がなされたとき、または、連動中止信号を受信したときに、連動警報は中止するが、自らの火災検知による警報の出力は中止しないようにして、火災検知している火災警報器１が識別できるようにしてもよい。
【００２６】
図５は、火災警報システムの連動動作を示す概略的なタイミング図である。この図では、時刻Ｔ１では、初めて、火災警報器１＃１が火災を検知して、警報を開始すると共に、連動制御信号を発信し、更に、火災が続いている間は、連動制御信号を断続的に発信している。一方、火災警報器１＃２は、その最初の連動制御信号を受信して、連動警報を開始している。
【００２７】
そして、時刻Ｔ２では、火災警報器１＃１において、警報停止操作がなされたために警報が中止されており、時刻Ｔ３では、火災警報器１＃２において警報停止操作がなされたために連動警報が中止されている。
【図面の簡単な説明】
【００２８】
【図１】本発明による火災警報器の概略構成を示すブロック図である。
【図２】住戸用火災警報器を複数備えた火災警報システムの構成図である。
【図３】連動制御信号の概略波形図である。
【図４】本発明による火災警報器の基本動作を示すフローチャートである。
【図５】火災警報システムの連動動作を示すタイミング図である。
【符号の説明】
【００２９】
１    火災警報器
１１  電源入力部
１２  バックアップ電源
１５  設定記憶手段
１６  無線通信制御手段
Ｔ    電源端子
【図１】
2008009481.tif 000003
【図２】
2008009481.tif 000004
【図３】
2008009481.tif 000005
【図４】
2008009481.tif 000006
【図５】
2008009481.tif 000007